(57)【要約】【課題】  アスペクト比の異なる映像を切り替えて表示したとき、映像の乱れが生じないようにする。【解決手段】  ＣＣＤ２０１またはデジタルビデオテープ２０２から入力された入力映像信号はクロック検出部２０３を介して入力ソースバッファ２０４に供給される。アスペクト比検出部２０５は、この映像信号からアスペクト比を検出し、映像変換装置Ａ２１０、Ｂ２２０に供給する。映像変換装置Ｂ２２０は、内部メモリ２３０に記憶された出力先の表示画面のアスペクト比と、アスペクト比検出部２０５によって検出された入力映像信号のアスペクト比とに基づいて、必要に応じて入力映像信号に対して垂直方向または水平方向の圧縮処理を施し、出力セレクタ２５０に供給する。映像変換装置Ａ２１０は、映像変換装置Ｂ２２０の圧縮処理の遅延時間に応じて入力映像信号を遅延させ、出力セレクタ２５０に出力する。【選択図】      図２
2006121268.tif 000002
【特許請求の範囲】
【請求項１】
所定の映像信号を供給する映像供給手段と、
前記映像供給手段によって供給された前記映像信号のアスペクト比をソースアスペクト比として検出するソースアスペクト比検出手段と、
前記映像信号を表示する際のアスペクト比を出力アスペクト比として設定する出力アスペクト比設定手段と、
前記ソースアスペクト比および前記出力アスペクト比に基づいて前記映像信号に対して圧縮変換処理を施す圧縮変換手段と、
前記圧縮変換手段による圧縮変換処理に伴う所定の遅延時間に対応して前記映像信号を前記遅延時間分遅延させる遅延手段と、
前記圧縮変換手段および前記遅延手段の何れか一方の出力を前記ソースアスペクト比および前記出力アスペクト比に基づいて選択して出力する選択手段と
を具備することを特徴とする映像表示制御装置。
【請求項２】
前記遅延手段は、前記映像信号を遅延させる遅延処理を行う遅延処理手段と、前記遅延時間を設定する遅延時間設定手段と、前記設定された遅延時間分の遅延処理が行われるよう前記遅延処理手段を制御する遅延時間調整手段とを具備することを特徴とする請求項１記載の映像表示制御装置。
【請求項３】
前記遅延処理手段はラインメモリを備え、
前記遅延時間調整手段は前記設定された遅延時間分の遅延処理が行われるよう前記ラインメモリのループ回数を制御する
ことを特徴とする請求項２記載の映像表示制御装置。
【請求項４】
前記圧縮変換手段は、前記映像信号の解像度を変換する解像度変換手段と、前記映像信号の下部にレターボックスを付加する下部レターボックス生成手段とを備え、
前記遅延時間は前記下部レターボックス生成手段によって前記映像信号の下部に付加されるレターボックスの出力時間に相当する
ことを特徴とする請求項１記載の映像表示制御装置。
【請求項５】
前記選択手段は、前記映像信号における垂直同期信号の垂直ブランキング期間に限って前記圧縮変換手段および前記遅延手段の何れか一方から他方へ切り替えることを特徴とする請求項１記載の映像表示制御装置。
【請求項６】
所定の映像信号を供給する映像供給手段と、
所定の出力アスペクト比によって前記映像信号を表示する表示手段と、
前記映像供給手段によって供給された前記映像信号のアスペクト比をソースアスペクト比として検出するソースアスペクト比検出手段と、
前記ソースアスペクト比および前記出力アスペクト比に基づいて前記映像信号に対して圧縮変換処理を施す圧縮変換手段と、
前記圧縮変換手段による圧縮変換処理に伴う所定の遅延時間に対応して前記映像信号を前記遅延時間分遅延させる遅延手段と、
前記圧縮変換手段および前記遅延手段の何れか一方の出力を前記ソースアスペクト比および前記出力アスペクト比に基づいて選択して前記表示手段に表示させる選択手段と
を具備することを特徴とする映像表示装置。
【請求項７】
前記遅延手段は、前記映像信号を遅延させる遅延処理を行う遅延処理手段と、前記遅延時間を設定する遅延時間設定手段と、前記設定された遅延時間分の遅延処理が行われるよう前記遅延処理手段を制御する遅延時間調整手段とを具備することを特徴とする請求項６記載の映像表示装置。
【請求項８】
前記遅延処理手段はラインメモリを備え、
前記遅延時間調整手段は前記設定された遅延時間分の遅延処理が行われるよう前記ラインメモリのループ回数を制御する
ことを特徴とする請求項７記載の映像表示装置。
【請求項９】
前記圧縮変換手段は、前記映像信号の解像度を変換する解像度変換手段と、前記映像信号の下部にレターボックスを付加する下部レターボックス生成手段とを備え、
前記遅延時間は前記下部レターボックス生成手段によって前記映像信号の下部に付加されるレターボックスの出力時間に相当する
ことを特徴とする請求項６記載の映像表示装置。
【請求項１０】
前記選択手段は、前記映像信号における垂直同期信号の垂直ブランキング期間に限って前記圧縮変換手段および前記遅延手段の何れか一方から他方へ切り替えることを特徴とする請求項６記載の映像表示装置。
【請求項１１】
供給された所定の映像信号のアスペクト比をソースアスペクト比として検出する手順と、
前記映像信号を表示する際のアスペクト比を出力アスペクト比として設定する手順と、
前記ソースアスペクト比および前記出力アスペクト比に基づいて前記映像信号に対して圧縮変換処理を施す手順と、
前記圧縮変換処理に伴う所定の遅延時間に対応して前記映像信号を前記遅延時間分遅延させる遅延処理を行う手順と、
前記圧縮変換処理および前記遅延処理の何れか一方による出力を前記ソースアスペクト比および前記出力アスペクト比に基づいて選択して出力する手順と
を具備することを特徴とする映像表示制御方法。
【請求項１２】
所定の出力アスペクト比によって映像信号を表示する表示手段を備える映像表示装置において、
供給された前記映像信号のアスペクト比をソースアスペクト比として検出する手順と、
前記ソースアスペクト比および前記出力アスペクト比に基づいて前記映像信号に対して圧縮変換処理を施す手順と、
前記圧縮変換処理に伴う所定の遅延時間に対応して前記映像信号を前記遅延時間分遅延させる遅延処理を行う手順と、
前記圧縮変換処理および前記遅延処理の何れか一方による出力を前記ソースアスペクト比および前記出力アスペクト比に基づいて選択して前記表示手段に表示させる手順と
を具備することを特徴とする映像表示方法。
【発明の詳細な説明】
【技術分野】
【０００１】
本発明は、映像表示制御装置に関し、特に入力映像のアスペクト比を変換して表示する映像表示制御装置、および、これらにおける処理方法ならびに当該方法をコンピュータに実行させるプログラムに関する。
【背景技術】
【０００２】
近年、テレビジョン受像機（以下、テレビと記載する）等においては、アスペクト比が４：３の表示画面を備えるものに加え、いわゆるワイド画面と呼ばれるアスペクト比が１６：９の表示画面を備えるものが広く普及するようになってきた。ここで、アスペクト比とは、画面や画像の縦と横の長さ（ピクセル数）の比のことである。現在、テレビの地上波放送、ハイビジョン放送以外のＢＳ放送などはアスペクト比が４：３であるが、ＢＳデジタルを含むハイビジョン放送はアスペクト比が１６：９となっている。この現状に対応するように、アスペクト比が１６：９の映像が放送される機会が増えるとともに、アスペクト比が１６：９の映像を記録した映像ソフトの販売も多くなってきている。また、ビデオカムコーダなどの映像記録再生装置においても、アスペクト比が１６：９の映像を記録再生するものが普及しつつある。
【０００３】
このような状況において、ビデオカムコーダとテレビを接続し、ビデオカムコーダの出力映像をテレビの表示画面に表示して鑑賞する場合、ビデオカムコーダの出力映像のアスペクト比と、テレビの表示画面のアスペクト比の関係、即ち、ビデオカムコーダの出力映像のアスペクト比とテレビの表示画面のアスペクト比の組み合わせが問題となる。
【０００４】
例えば、ビデオカムコーダの記録映像のアスペクト比が１６：９であっても、ユーザが所有しているテレビの表示画面のアスペクト比は、１６：９の場合もあれば４：３の場合もある。従って、いかなる組み合わせにおいても、ユーザが所有するテレビの表示画面のアスペクト比に映像を変換し、ユーザが快適に映像を鑑賞することができるようにすることが必要かつ不可欠である。
【０００５】
そのような従来技術として、上下バーに補強信号が多重されたアスペクト比１６：９の映像信号を受信した場合、上下バー期間での直流オフセットおよび多重信号をマスクすることにより、４：３のモニタで支障なくアスペクト比１６：９の映像を表示することができるようにしたものがある（例えば、特許文献１参照。）。
【０００６】
また、映像信号に対して処理を施す各映像信号処理経路の処理時間に応じて、可変音声遅延回路に遅延時間を設定することにより、各映像信号処理経路で可変音声遅延回路を共用することができ、映像信号の出力タイミングと音声信号の出力タイミングとを小規模の回路で合わせることができるようにしたものがある（例えば、特許文献２参照。）。
【特許文献１】特開平０５−３２８２５１号公報（図１）
【特許文献２】特開平０８−１０２９１１号公報（図１）
【発明の開示】
【発明が解決しようとする課題】
【０００７】
しかしながら、上述の従来技術では、映像信号を変換するための処理に要する時間分だけ変換後の映像信号に遅延が発生していた。このため、映像信号のアスペクト比を変換する処理を施した場合の表示と、映像信号のアスペクト比を変換しない場合の表示とを切り替えるとき、切り替え前に表示されていた映像と、切り替え後に表示された映像との間の同期ずれによって一瞬映像が乱れてしまい、ユーザに不快な思いをさせたり、故障したのではないかという不安を与えてしまったりすることがあった。
【０００８】
そこで、本発明は、映像信号に対してアスペクト比の変換処理を施した場合に発生する遅延時間に応じて、映像信号に対して変換処理を施さない場合には、映像信号の出力のタイミングを、遅延用のラインメモリを用いてあえて遅延させることにより、その映像信号の遅延時間とアスペクト比の変換処理が施された映像信号の遅延時間とを一致させ、この変換処理によって発生した遅延をユーザが認識することができないようにすることを目的とする。また、映像信号の切り替えを垂直同期信号の垂直ブランキング期間に行うようにすることにより、映像信号の切り替え時の映像の乱れを抑制することを目的とする。
【課題を解決するための手段】
【０００９】
本発明は、上記課題を解決するためになされたものであり、その第１の側面は、所定の映像信号を供給する映像供給手段と、上記映像供給手段によって供給された上記映像信号のアスペクト比をソースアスペクト比として検出するソースアスペクト比検出手段と、上記映像信号を表示する際のアスペクト比を出力アスペクト比として設定する出力アスペクト比設定手段と、上記ソースアスペクト比および上記出力アスペクト比に基づいて上記映像信号に対して圧縮変換処理を施す圧縮変換手段と、上記圧縮変換手段による圧縮変換処理に伴う所定の遅延時間に対応して上記映像信号を上記遅延時間分遅延させる遅延手段と、上記圧縮変換手段および上記遅延手段の何れか一方の出力を上記ソースアスペクト比および上記出力アスペクト比に基づいて選択して出力する選択手段とを具備することを特徴とする映像表示制御装置である。これにより、表示画面に表示される映像のアスペクト比が切り替えられても、映像に乱れが生じないようにさせるという作用をもたらす。
【００１０】
また、本発明の第２の側面は、所定の映像信号を供給する映像供給手段と、  所定の出力アスペクト比によって上記映像信号を表示する表示手段と、上記映像供給手段によって供給された上記映像信号のアスペクト比をソースアスペクト比として検出するソースアスペクト比検出手段と、上記ソースアスペクト比および上記出力アスペクト比に基づいて上記映像信号に対して圧縮変換処理を施す圧縮変換手段と、上記圧縮変換手段による圧縮変換処理に伴う所定の遅延時間に対応して上記映像信号を上記遅延時間分遅延させる遅延手段と、上記圧縮変換手段および上記遅延手段の何れか一方の出力を上記ソースアスペクト比および上記出力アスペクト比に基づいて選択して上記表示手段に表示させる選択手段とを具備することを特徴とする映像表示装置である。これにより、表示画面に表示される映像のアスペクト比が切り替えられても、映像に乱れが生じないようにさせるという作用をもたらす。
【００１１】
また、本発明の第１の側面または本発明の第２の側面において、上記遅延手段は、上記映像信号を遅延させる遅延処理を行う遅延処理手段と、上記遅延時間を設定する遅延時間設定手段と、上記設定された遅延時間分の遅延処理が行われるよう上記遅延処理手段を制御する遅延時間調整手段とを具備することができる。また、上記遅延処理手段はラインメモリを備え、上記遅延時間調整手段は上記設定された遅延時間分の遅延処理が行われるよう上記ラインメモリのループ回数を制御するようにすることができる。これにより、遅延時間を任意に設定させるという作用をもたらす。
【００１２】
また、本発明の第１の側面または第２の側面において、上記圧縮変換手段は、上記映像信号の解像度を変換する解像度変換手段と、上記映像信号の下部にレターボックスを付加する下部レターボックス生成手段とを備え、上記遅延時間は上記下部レターボックス生成手段によって上記映像信号の下部に付加されるレターボックスの出力時間に相当するようにすることができる。これにより、上記遅延時間分だけスルー映像を遅延させることにより、解像度が変換された映像との出力タイミングを一致させるという作用をもたらす。
【００１３】
また、本発明の第１の側面または第２の側面において、上記選択手段は、上記映像信号における垂直同期信号の垂直ブランキング期間に限って上記圧縮変換手段および上記遅延手段の何れか一方から他方へ切り替えるようにすることができる。これにより、表示画面に表示される映像のアスペクト比が切り替えられても、映像に乱れが生じないようにさせるという作用をもたらす。
【００１４】
また、本発明の第３の側面は、供給された所定の映像信号のアスペクト比をソースアスペクト比として検出する手順と、上記映像信号を表示する際のアスペクト比を出力アスペクト比として設定する手順と、上記ソースアスペクト比および上記出力アスペクト比に基づいて上記映像信号に対して圧縮変換処理を施す手順と、上記圧縮変換処理に伴う所定の遅延時間に対応して上記映像信号を上記遅延時間分遅延させる遅延処理を行う手順と、上記圧縮変換処理および上記遅延処理の何れか一方による出力を上記ソースアスペクト比および上記出力アスペクト比に基づいて選択して出力する手順とを具備することを特徴とする映像表示制御方法である。これにより、表示画面に表示される映像のアスペクト比が切り替えられても、映像に乱れが生じないようにさせるという作用をもたらす。
【００１５】
また、本発明の第４の側面は、所定の出力アスペクト比によって映像信号を表示する表示手段を備える映像表示装置において、供給された上記映像信号のアスペクト比をソースアスペクト比として検出する手順と、上記ソースアスペクト比および上記出力アスペクト比に基づいて上記映像信号に対して圧縮変換処理を施す手順と、上記圧縮変換処理に伴う所定の遅延時間に対応して上記映像信号を上記遅延時間分遅延させる遅延処理を行う手順と、上記圧縮変換処理および上記遅延処理の何れか一方による出力を上記ソースアスペクト比および上記出力アスペクト比に基づいて選択して上記表示手段に表示させる手順とを具備することを特徴とする映像表示方法である。これにより、表示画面に表示される映像のアスペクト比が切り替えられても、映像に乱れが生じないようにさせるという作用をもたらす。
【発明の効果】
【００１６】
本発明によれば、表示画面に表示される映像のアスペクト比を切り替えても、映像に乱れが生じないという優れた効果を奏し得る。
【発明を実施するための最良の形態】
【００１７】
次に本発明の実施の形態について図面を参照して詳細に説明する。
【００１８】
図１は、本発明の実施の形態における映像表示制御装置の一例としてのデジタルビデオカメラ（ビデオカムコーダ）１００の外観図である。図１に示すように、デジタルビデオカメラ１００は、レンズ１０１と、ファインダ１０２と、電源スイッチ１０３と、タッチパネル１０４と、ジョグダイヤル１０５と、左方向指定ボタン１０６と、右方向指定ボタン１０７とから構成されている。
【００１９】
レンズ１０１は、前方から入射した光を集光し、レンズ１０１の後方に設けられたＣＣＤ（Charge Coupled Device）２０１（図２参照）の表面に撮影対象となる物体の画像を結像させるようになっている。ＣＣＤ２０１は、その表面に形成された画像に対応する電気信号を発生し、映像信号として出力するようになっている。
【００２０】
ファインダ１０２は、ＣＣＤ２０１より出力された映像信号を表示するようになっている。電源スイッチ１０３は、デジタルビデオカメラの電源をオン／オフするためのものである。タッチパネル１０４は、図２に示すように、指等でタッチされたことを検出する透明な板状の部材からなる検出部１１１と、各種情報を表示するＬＣＤ（Liquid Crystal Display）等からなる表示部１１２とからなる。
【００２１】
また、タッチパネル１０４は、表示部１１２上に検出部１１１が設けられた構成とされ、表示部１１２に表示された選択項目に対応する検出部１１１の所定の領域を指でタッチすることにより、所望の選択項目を選択することができるようになっている。
【００２２】
ジョグダイヤル１０５は、上下方向に回転操作することにより、タッチパネル１０４の直下に設けられた表示部１１２に表示されたカーソル等を上下方向に移動させるためのものである。左方向指定ボタン１０６は、タッチパネル１０４に表示されたカーソル等を左方向に移動させるためのものである。右方向指定ボタン１０７は、タッチパネル１０４に表示されたカーソル等を右方向に移動させるためのものである。
【００２３】
図２は、図１のデジタルビデオカメラ１００の内部の電気的な構成例を示すブロック図である。同図に示すように、デジタルビデオカメラは、ＣＣＤ２０１と、ＣＣＤ２０１から出力された映像信号またはデジタルビデオテープ２０２の再生信号いずれかが入力されるクロック検出部２０３と、入力ソースバッファ２０４と、アスペクト比検出部２０５と、映像変換装置Ａ２１０と、映像変換装置Ｂ２２０と、内部メモリ２３０と、上述したタッチパネル１０４と、出力セレクタ２５０と、出力端子２６０とから構成されている。出力端子２６０は、例えば、セパレート（Separate）端子（以下、Ｓ端子と略記する）とすることができる。
【００２４】
また、映像変換装置Ａ２１０には、水平遅延量調節部２１１、水平遅延量設定部２１２、および、水平遅延用ラインメモリ２１３が設けられている。また、タッチパネル１０４には、タッチパネル１０４の表面が指等によってタッチされたか否か、および、タッチされた位置を検出する検出部１１１と、各種データを表示する表示部１１２とが設けられている。
【００２５】
ＣＣＤ２０１は、上述したように、その表面に形成された画像に対応する電気信号を発生し、映像信号として出力するようになっている。デジタルビデオテープ２０２には、映像信号が記録されており、図示しない再生回路によって再生されたその映像信号が後述するクロック検出部２０３を介して入力ソースバッファ２０４に供給されるようになっている。
【００２６】
クロック検出部２０３は、ＣＣＤ２０１より供給された映像信号、または、デジタルビデオテープ２０２より（図示しない）再生回路を介して供給された映像信号を入力ソースバッファ２０４に供給するようになっている。また、このクロック検出部２０３は、映像信号から垂直同期信号を検出し、クロック信号として入力ソースバッファ２０４、映像変換装置Ａ２１０の水平遅延量調節部２１１、映像変換装置Ｂ２２０、および、出力セレクタ２５０にそれぞれ供給するようになっている。
【００２７】
入力ソースバッファ２０４は、クロック検出部２０３を介して入力された映像信号を一時的に保持し、クロック検出部２０３より供給されるクロック信号に同期して、その映像信号をアスペクト比検出部２０５、映像変換装置Ａ２１０の水平遅延用ラインメモリ２１３、および、映像変換装置Ｂ２２０にそれぞれ供給するようになっている。
【００２８】
アスペクト比検出部２０５は、入力ソースバッファ２０４より供給された映像信号に基づいて、そのアスペクト比を検出し、検出したアスペクト比を示すデータを映像変換装置Ｂ２２０、および、出力セレクタ２５０にそれぞれ供給するようになっている。
【００２９】
映像変換装置Ａ２１０の水平遅延量設定部２１２は、内部メモリ２３０に記憶されている下部レターボックスの付加量に応じて、映像信号に対して変換処理を施さない場合に出力する映像信号の遅延量（遅延時間）を示すデータを水平遅延量調節部２１１に供給するようになっている。下部レターボックスの付加量は、予めユーザによってタッチパネル１０４を操作して入力され、内部メモリ２３０に記憶されている。
【００３０】
水平遅延量調節部２１１は、水平遅延量設定部２１２より供給された遅延量を示すデータに基づいて、水平遅延用ラインメモリ２１３を制御し、水平遅延用ラインメモリ２１３を所定の回数分だけループさせるようになっている。
【００３１】
水平遅延用ラインメモリ２１３は、入力された映像信号に対して、水平遅延量調節部２１１によって指定された回数分だけループ処理を行い、出力セレクタ２５０に供給するようになっている。即ち、例えば、３０Ｈ分（１フィールドあたり３０ライン分）のループが指定された場合、入力された映像信号は３０Ｈ分だけ遅延して出力セレクタ２５０に供給されることになる。
【００３２】
映像変換装置Ｂ２２０は、図３を参照して後述するように、入力された映像信号のアスペクト比を変換し、変換後の映像信号を出力セレクタ２５０に供給するようになっている。
【００３３】
タッチパネル１０４は、図示しない制御部の制御により、テレビジョン受像機（以下、テレビと略記する）等の表示画面に表示する映像のアスペクト比を選択するためのアスペクト比選択画面を表示するようになっている。
【００３４】
選択可能なアスペクト比は、例えば、１６：９および４：３である。ユーザが所望のアスペクト比が表示された領域を指でタッチすると、検出部１１１によって指でタッチされたこと、並びに、その位置が検出され、表示部１１２の画面に表示された選択項目の表示位置とに基づいて、どの選択項目が選択されたかが判断され、選択された選択項目に対応する制御信号が出力セレクタ２５０に供給される。
【００３５】
内部メモリ２３０は、ユーザがタッチパネル１０４を操作して選択したアスペクト比を示すデータを記憶し、適宜、映像変換装置Ｂ２２０に供給するようになっている。
【００３６】
出力セレクタ２５０は、アスペクト比検出部２０５から供給されるアスペクト比を示すデータ、および、内部メモリ２３０に格納されている、ユーザが選択したアスペクト比を示すデータに基づいて、水平遅延用ラインメモリ２１３と出力端子２６０とが接続状態、または非接続状態になるように内部のスイッチを切り替える。
【００３７】
出力端子２６０は、テレビ等のビデオ入力端子と図示しないケーブルを介して接続され、出力セレクタ２５０を介して供給された映像信号をテレビ等のビデオ入力端子に供給するようになっている。
【００３８】
図３は、図２の映像変換装置Ｂ２２０の詳細な構成例を示すブロック図である。図３に示すように、映像変換装置Ｂ２２０は、ラインカウンタ２２１と、映像変換制御部２２２と、入力バッファ２２３と、上部レターボックス生成部２２４と、解像度変換部２２５と、下部レターボックス生成部２２６と、出力バッファ２２７とから構成されている。
【００３９】
ラインカウンタ２２１は、クロック検出部２０３より供給されたクロック信号を映像変換制御部２２２に供給するようになっている。映像変換制御部２２２は、アスペクト比検出部２０５より供給されたアスペクト比を示すデータと、内部メモリ２３０より供給された下部レターボックスの行数を示すデータとに基づいて、上部レターボックスの行数を算出し、上部レターボックス生成部２２４に対して算出した上記行数分だけ上部レターボックスを生成するよう制御するようになっている
【００４０】
また、映像変換制御部２２２は、解像度変換部２２５に対して、アスペクト比検出部２０５より供給された現在入力されている映像データのアスペクト比を示すデータに基づいて、垂直方向および水平方向の少なくともいずれか一方について映像信号を圧縮するよう制御するようになっている。さらに、映像変換制御部２２２は、下部レターボックス生成部２２６に対して、内部メモリ２３０より供給された下部レターボックスの行数を示すデータに対応する行数分だけ下部レターボックスを生成するよう制御するようになっている。
【００４１】
入力バッファ２２３は、入力ソースバッファ２０４より供給された映像信号を一時的に保持し、適宜、解像度変換部２２５に供給するようになっている。
【００４２】
上部レターボックス生成部２２４は、映像変換制御部２２２からの制御により、指定された行数分の上部レターボックスを生成し、生成した上部レターボックスに対応する映像信号を１行ずつ出力バッファ２２７に供給するようになっている。
【００４３】
解像度変換部２２５は、入力された映像信号のアスペクト比を１６：９から４：３に、または、４：３から１６：９に変換し、アスペクト比が変換された後の映像信号を出力バッファ２２７に供給するようになっている。
【００４４】
下部レターボックス生成部２２６は、映像変換制御部２２２からの制御により、指定された行数分の下部レターボックスを生成し、生成した下部レターボックスに対応する映像信号を１行ずつ出力バッファ２２７に供給するようになっている。
【００４５】
また、アスペクト比を４：３から１６：９に変換するときには、上部レターボックス生成部２２４は、左右にレターボックスが付加する制御を行う。
【００４６】
出力バッファ２２７は、上部レターボックス生成部２２４、解像度変換部２２５、および、下部レターボックス生成部２２６よりそれぞれ供給された映像信号を一時的に蓄積し、所定のタイミングで順次出力するようになっている。ここでは、入力バッファ２２３と出力バッファ２２７は別個のものとして説明したが、物理的には同一のものとしてもよい。
【００４７】
図４は、入力ソースバッファ２０４に入力される映像信号のアスペクト比と、出力端子２６０から出力される映像信号のアスペクト比の関係を表している。この例では、入力される映像信号のアスペクト比は４：３または１６：９であり、出力される映像信号のアスペクト比は４：３または１６：９である。
【００４８】
入力される映像信号のアスペクト比が４：３、出力される映像信号のアスペクト比が１６：９の場合、映像信号は水平方向に圧縮され、その映像信号の左右にレターボックスが付加される。また、入力される映像信号のアスペクト比が１６：９、出力される映像信号のアスペクト比が４：３の場合、映像信号は垂直方向に圧縮され、その映像信号の上下にレターボックスが付加される。
【００４９】
また、タッチパネル１０４は、アスペクト比が１６：９に固定されているが、出力端子２６０には、アスペクト比が１６：９および４：３の表示装置が接続可能となっている。従って、ユーザは、出力端子２６０に接続される表示装置のアスペクト比を選択しなければならない。
【００５０】
図５は、映像信号のアスペクト比を１６：９から４：３に変換する例を示している。この例では、垂直方向に圧縮した１８０ラインの映像信号に、３０ラインの上部レターボックスが付加され、さらに３０ラインの下部レターボックスが付加されている。
【００５１】
次に本発明の実施の形態における解像度変換装置Ｂ２２０の動作について図面を参照して説明する。ここでは、アスペクト比が１６：９の映像信号をアスペクト比が４：３の映像信号に変換する場合について説明する。
【００５２】
図６は、アスペクト比が１６：９の入力映像をアスペクト比が４：３の映像信号に変換して出力する場合と、スルーで出力する場合の出力タイミングを示している。図６（ａ）は、３０ラインの上部レターボックスと３０ラインの下部レターボックスをそれぞれ付加する例を示しており、図６（ｂ）は、上部レターボックスは付加せずに、６０ラインの下部レターボックスを付加する例を示している。
【００５３】
入力ソースバッファ２０４に入力された映像信号は、映像変換装置Ａ２１０、および、映像変換装置Ｂ２２０にそれぞれ供給される。
【００５４】
映像変換装置Ｂ２２０に供給された映像信号は、アスペクト比が１６：９から４：３に変換され、３０ラインの上部レターボックスと３０ラインの下部レターボックスがそれぞれ付加された後、出力される。従って、映像変換装置Ｂ２２０から出力される映像信号は、下部レターボックスの３０ライン分だけ入力映像に対して遅延することになる。
【００５５】
一方、映像変換装置Ａ２１０に供給された映像信号はそのままスルーで出力されるので、そのまま遅延させずに出力すると、映像変換装置Ａ２１０から映像信号が出力されるタイミングと映像変換装置Ｂ２２０から映像信号が出力されるタイミングとの間にずれが生じる。このずれは、図６（ａ）に示した例では３０ライン分に相当し、図６（ｂ）に示した例では６０ライン分に相当する。
【００５６】
これらの例における３０ライン分の遅延または６０ライン分の遅延は、下部レターボックスの３０ライン分または６０ライン分に対応している。即ち、スルーで出力される映像信号の所定のフィールドの最後のラインと、同一フィールドの垂直方向に圧縮された映像信号の最後のライン（下部レターボックスの先頭のラインの直前のライン）の出力タイミングを一致させると、垂直方向に圧縮された映像信号の下部レターボックスに対応する３０ラインまたは６０ラインが、スルーの映像信号の最後のラインの後に出力されることになる。従って、この３０ラインまたは６０ラインの出力に要する時間が垂直方向に圧縮された映像信号の遅延となる。
【００５７】
この遅延時間分だけ、スルーの映像信号の出力タイミングを遅延させることにより、スルーで出力した場合の映像信号の表示タイミングと、垂直方向に圧縮され、下部レターボックスが付加された映像信号の表示タイミングとが一致する。
【００５８】
従って、例えば、下部レターボックスが６０ラインであれば、スルーの映像信号の出力タイミングは６０ライン分だけ遅延させられる。また、下部レターボックスが０ラインであれば、遅延は生じないということになる。この遅延の大きさ（遅延量）に合わせて、映像変換装置Ａ２１０から映像信号が出力されるタイミングが遅延させられる。
【００５９】
次に、アスペクト比の異なる映像信号の切り替えを、垂直同期信号の垂直ブランキング期間内に行うようにして、表示画面に表示される映像の乱れをできるだけ抑制する方法について説明する。
【００６０】
図７は、出力セレクタ２５０によって出力端子２６０と映像変換装置Ａ２１０または映像変換装置Ｂ２２０の接続が切り替えられるタイミングと、出力端子２６０に接続されたテレビの表示画面に表示された映像の関係を示している。図７（ａ）は、垂直同期信号と非同期に出力セレクタ２５０を切り替え、入力ソースバッファ２０４から出力された映像信号が出力端子２６０に供給される経路を切り替える場合の例を示している。
【００６１】
図７（ｂ）は、垂直同期信号に同期して、垂直同期信号の垂直ブランキング期間中に出力セレクタ２５０を切り替え、入力ソースバッファ２０４から出力された映像信号が出力端子２６０に供給される経路を切り替える場合の例を示している。いま、入力される映像信号のアスペクト比は１６：９とし、映像変換装置Ｂ２２０はこの映像信号に対して垂直方向に圧縮し、圧縮された映像信号の上下にレターボックスを付加し、アスペクト比が４：３の映像信号を出力するものとする。
【００６２】
図７（ａ）に示したように、垂直同期信号と非同期で出力セレクタ２５０が切り替えられ、映像信号の１フィールドを表示している途中で入力ソースバッファ２０４から映像変換装置Ａ２１０を経由し、出力端子２６０に至る経路が、入力ソースバッファ２０４から映像変換装置Ｂ２２０を経由し、出力端子２６０に至る経路に切り替えられた場合、出力端子２６０に接続されたテレビの表示画面に表示される映像は一瞬乱れた後、切り替わる。この乱れは、１フィールドの表示期間内にアスペクト比の異なる映像信号に切り替わるため、１フィールド内にアスペクト比の異なる２種類の映像が混在することによる。
【００６３】
一方、図７（ｂ）に示したように、垂直同期信号の垂直ブランキング期間内に出力セレクタ２５０が切り替えられ、映像信号の１フィールドを表示し終わった後、垂直ブランキング期間内に入力ソースバッファ２０４から映像変換装置Ａ２１０を経由し、出力端子２６０に至る経路が、入力ソースバッファ２０４から映像変換装置Ｂ２２０を経由し、出力端子２６０に至る経路に切り替えられた場合、出力端子２６０に接続されたテレビの表示画面に表示される映像は乱れることなく切り替わる。
【００６４】
図８は、映像変換装置Ｂ２２０の処理手順を示すフローチャートである。まず、ステップＳ９１１において、映像変換制御部２２２により、入力映像信号のアスペクト比が１６：９であるか否かが判定される。入力映像信号のアスペクト比が１６：９であると判定された場合、ステップＳ９１２に進む。
【００６５】
ステップＳ９１２において、映像変換制御部２２２は、垂直方向に入力映像信号を圧縮するよう、解像度変換部２２５を制御する。映像変換制御部２２２からの上記制御により、解像度変換部２２５は、入力バッファ２２３を介して入力された映像信号のアスペクト比を１６：９から４：３に変換し、変換後の映像信号を出力バッファ２２７に出力する。
【００６６】
次に、ステップＳ９１３において、映像信号の上下にレターボックスが付加される。即ち、映像変換制御部２２２は、内部メモリ２３０から供給された下部レターボックスの行数を示すデータに基づいて上部レターボックスの行数を算出し、上部レターボックス生成部２２４に対して、いま算出した行数分だけ上部レターボックスを映像信号の前に付加するよう制御する。映像変換制御部２２２からの制御により、上部レターボックス生成部２２４は、指定された行数分の上部レターボックスを生成し、出力バッファ２２７に出力する。
【００６７】
さらに、映像変換制御部２２２は、下部レターボックス生成部２２６に対して、内部メモリ２３０より供給された下部レターボックスの行数分だけ下部レターボックスを映像信号の後ろに付加するよう制御する。映像変換制御部２２２からの上記制御により、下部レターボックス生成部２２６は、指定された行数分の下部レターボックスを生成し、出力バッファ２２７に出力する。出力バッファ２２７は、上部レターボックスと圧縮された映像信号と下部レターボックスからなるアスペクト比が４：３の映像信号を生成し、出力する。
【００６８】
一方、ステップＳ９１１において、入力映像信号のアスペクト比が１６：９ではない（この例では４：３である）と判定された場合、ステップＳ９１４に進む。ステップＳ９１４においては、映像変換制御部２２２は、解像度変換部２２５に対して水平方向に映像信号を圧縮するよう制御する。この制御により、解像度変換部２２５は、入力映像信号を水平方向に圧縮し、入力映像信号のアスペクト比を１６：９から４：３に変換する。次に、ステップＳ９１５において、左右にレターボックスが付加され、出力バッファ２２７に出力される。出力バッファ２２７は、左右にレターボックスが付加されたアスペクト比が１６：９の映像信号を生成し、出力する。
【００６９】
出力バッファ２２７は、上述したようにして生成したアスペクト比が４：３の映像信号、または１６：９の映像信号をクロック信号に同期して出力し、出力端子２６０に供給する。
【００７０】
図９は、入力された映像信号を出力端子２６０を介して出力端子２６０に接続されたテレビに供給し、その表示画面に表示させる場合の出力セレクタ２５０の処理手順を示すフローチャートである。この例では、入力される映像信号のアスペクト比は１６：９であるものとしている。まず最初に、ステップＳ９２１において、出力セレクタ２５０によって、クロック検出部２０３より供給されるクロック信号に基づいて、現在、垂直同期信号が垂直ブランキング期間中であるか否かが判定される。その結果、垂直ブランキング期間中ではないと判定された場合、ステップＳ９２１の処理が繰り返し実行される。一方、垂直ブランキング期間中であると判定された場合、ステップＳ９２２に進む。
【００７１】
ステップＳ９２２においては、内部メモリ２３０に記憶されているアスペクト比が１６：９であるか否かが判定される。内部メモリ２３０に記憶されているアスペクト比は、ユーザがタッチパネル１０４を用いて設定したものである。内部メモリ２３０に記憶されているアスペクト比が１６：９であると判定された場合、ステップＳ９２３に進み、映像変換装置Ａ２１０から出力された映像信号が出力端子２６０にスルーで（垂直方向および水平方向のいずれにも圧縮処理を施されないで）供給されるように内部のスイッチを切り替える。即ち、出力セレクタ２５０は、映像変換装置Ａ２１０と出力端子２６０とを接続状態にし、映像変換装置Ｂ２２０と出力端子２６０とを未接続の状態にする。
【００７２】
一方、ステップＳ９２２において、内部メモリ２３０に記憶されているアスペクト比が１６：９ではない（この例では４：３である）と判定された場合、ステップＳ９２４に進む。ステップＳ９２４においては、映像変換装置Ｂ２２０から出力された映像信号（いまの場合、垂直方向に対して圧縮処理が施され、上下にレターボックスが付加されたもの）が出力端子２６０に供給されるように、内部のスイッチを切り替える。即ち、出力セレクタ２５０は、映像変換装置Ａ２１０と出力端子２６０とを未接続状態にし、映像変換装置Ｂ２２０と出力端子２６０とを接続状態にする。ステップＳ９２３またはＳ９２４の処理が終了すると、本処理を終了する。
【００７３】
図１０は、入力された映像信号をタッチパネル１０４を構成する表示部１１２に表示させる場合の出力セレクタ２５０の処理手順を示すフローチャートである。この例では、表示部１１２のアスペクト比は１６：９とする。
【００７４】
まず最初に、ステップＳ９３１において、入力された映像信号のアスペクト比が１６：９であるか否かが判定される。その結果、入力された映像信号のアスペクト比が１６：９であると判定された場合、ステップＳ９３２に進み、出力セレクタ２５０は、映像変換装置Ａ２１０から出力された映像信号がスルーでタッチパネル１０４を構成する表示部１１２に供給されるように内部のスイッチを切り替える。即ち、映像変換装置Ａ２１０とタッチパネル１０４を構成する表示部１１２とを接続状態にする。
【００７５】
一方、ステップＳ９３１において、入力された映像信号のアスペクト比が１６：９ではない（いまの場合、４：３である）と判定された場合、ステップＳ９３３に進み、映像変換装置Ｂ２２０から出力された映像信号（水平方向に対して圧縮処理が施され、左右にレターボックスが付加されたもの）がタッチパネル１０４を構成する表示部１１２に供給されるように内部のスイッチを切り替える。即ち、映像変換装置Ｂ２２０とタッチパネル１０４を構成する表示部１１２とを接続する。ステップＳ９３２またはＳ９３３の処理が終了すると、本処理を終了する。
【００７６】
このように、本発明の実施の形態によれば、ユーザが出力先の表示画面のアスペクト比を指定した場合や、表示画面のアスペクト比が決まっており、入力映像のアスペクト比が切り替わった場合に、表示画面にアスペクト比の異なる映像を切り替えて表示するとき、映像が乱れないようにすることができる。これにより、ユーザに不快な思いをさせたり、故障ではないかという不安感を与えたりすることがないようにすることができる。
【００７７】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００７８】
すなわち、請求項１において、映像供給手段は、例えば、入力ソースバッファ２０４に対応する。また、ソースアスペクト比検出手段は、例えば、アスペクト比検出部２０５に対応する。また、出力アスペクト比設定手段は、例えば、内部メモリ２３０に対応する。また、圧縮変換手段は、例えば、映像変換装置Ｂ２２０に対応する。また、遅延手段は、例えば、映像変換装置Ａ２１０に対応する。また、選択手段は、例えば、出力セレクタ２５０に対応する。
【００７９】
また、請求項２または７において、遅延処理手段は、例えば、水平遅延用ラインメモリ２１３に対応する。また、遅延時間設定手段は、例えば、水平遅延量設定部２１２に対応する。また、遅延時間調整手段は、例えば、水平遅延量調節部２１１に対応する。
【００８０】
また、請求項４または９において、解像度変換手段は、例えば、解像度変換部２２５に対応する。また、下部レターボックス生成手段は、例えば、下部レターボックス生成部２２６に対応する。
【００８１】
また、請求項６において、映像供給手段は、例えば、入力ソースバッファ２０４に対応する。また、表示手段は、例えば、表示部１１２に対応する。また、また、ソースアスペクト比検出手段は、例えば、アスペクト比検出部２０５に対応する。また、圧縮変換手段は、例えば、映像変換装置Ｂ２２０に対応する。また、遅延手段は、例えば、映像変換装置Ａ２１０に対応する。また、選択手段は、例えば、出力セレクタ２５０に対応する。
【００８２】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００８３】
本発明の活用例として、例えば、デジタルビデオカムコーダに限らず、ビデオプレーヤや、ＤＶＤ（Digital Versatile Disc）プレーヤ等にテレビジョン装置を接続して再生映像を表示させる際に本発明を適用することができる。
【図面の簡単な説明】
【００８４】
【図１】本発明の実施の形態における映像を記録し、再生するデジタルビデオカメラ（ビデオカムコーダ）１００の外観図である。
【図２】本発明の実施の形態におけるデジタルビデオカメラ１００の内部の電気的な構成例を示すブロック図である
【図３】本発明の実施の形態における映像変換装置Ｂ２２０の構成例を示すブロック図である。
【図４】本発明の実施の形態における入力ソースバッファ２０４に入力される映像信号のアスペクト比と、出力端子２６０から出力される映像信号のアスペクト比の関係を示す図である。
【図５】映像信号のアスペクト比を１６：９から４：３に変換する例を示す図である。
【図６】垂直方向に圧縮変換した映像信号が遅延する様子を示す模式図である。
【図７】映像信号を切り替えるタイミングと表示される映像信号の関係を示す図である。
【図８】本発明の実施の形態における映像変換装置Ｂ２２０の動作を説明するためのフローチャートである。
【図９】本発明の実施の形態における出力セレクタ２５０の動作を説明するためのフローチャートである。
【図１０】本発明の実施の形態における出力セレクタ２５０の動作を説明するためのフローチャートである。
【符号の説明】
【００８５】
１００  デジタルビデオカメラ
１０１  レンズ
１０２  ファインダ
１０３  電源スイッチ
１０４  タッチパネル
１０５  ジョグダイヤル
１０６  左方向指定ボタン
１０７  右方向指定ボタン
１１１  検出部
１１２  表示部
２０１  ＣＣＤ
２０２  デジタルビデオテープ
２０３  クロック検出部
２０４  入力ソースバッファ
２０５  アスペクト比検出部
２１０  映像変換装置Ａ
２１１  水平遅延量調節部
２１２  水平遅延量設定部
２１３  水平遅延用ラインメモリ
２２０  映像変換装置Ｂ
２２１  ラインカウンタ
２２２  映像変換制御部
２２３  入力バッファ
２２４  上部レターボックス生成部
２２５  解像度変換部
２２６  下部レターボックス生成部
２２７  出力バッファ
２３０  内部メモリ
２５０  出力セレクタ
２６０  出力端子
【図１】
2006121268.tif 000003
【図２】
2006121268.tif 000004
【図３】
2006121268.tif 000005
【図４】
2006121268.tif 000006
【図５】
2006121268.tif 000007
【図６】
2006121268.tif 000008
【図７】
2006121268.tif 000009
【図８】
2006121268.tif 000010
【図９】
2006121268.tif 000011
【図１０】
2006121268.tif 000012